Podtech/llm-jp-corpus-v4-ja_patent huggingface dataset:
(57)【要約】      （修正有）【課題】持ち歩きの際小型バッグ等にも入れることが出来、使用時には持ち手を引き出して団扇状態にする団扇を提供する。【解決手段】弾力性を有する板状の団扇本体３にスライドさせて持ち手１を引き出し且つ挿入させる為のトンネル状の溝を設けた保持部２を取り付け、その溝に板状又はＵ字型のような針金等の持ち手１を仕組み、その持ち手１を引き出し且つ嵌入出来ることにより団扇のサイズの可変が可能になるようにした。【選択図】図１
0003169897.tif 000002
【実用新案登録請求の範囲】
【請求項１】
弾力性を有する板状の団扇本体３と、持ち手１と、保持部２からなり、団扇本体３は 、弾力性を有するプラスチックでなる板状で、持ち手１は、プラスチックでなる板状、又はＵ字型した針金で、保持部２は、団扇本体３の一方の面に取り付けられ、当該保持部は、コの字状のような溝４を備え、その溝４に持ち手１を嵌入し、スライドできる構成にすることで、団扇本体３に、持ち手１を引き出して伸ばして持ち手として使用できるようにし、持ち手１を保持部２に嵌入することで、団扇本体３に持ち手１を収納できることを特徴とする持ち手収納可団扇。
【考案の詳細な説明】
【技術分野】
【０００１】
本考案は持ち歩きの際小型バッグ等にも入れることが出来、使用時には持ち手を引き出して団扇状態にする。
【背景技術】
【０００２】
従来の団扇では突出した持ち手を有する為に小型バッグ等に入らず、使用しない時点では持ち歩きが面倒になる。
【先行技術文献】
【特許文献】
【０００３】
【特許文献１】特開 ２００３−６１７２６公報
【考案の概要】
【考案が解決しようとする課題】
【０００４】
従来の団扇は持ち手が突出した形状で、小型バッグ等に入れることが出来なかった。
【課題を解決するための手段】
【０００５】
弾力性を有する板状の団扇本体３と、持ち手１と、保持部２からなり、団扇本体３は、弾力性を有するプラスチックでなる板状で、持ち手１は、Ｕ字型した針金で、保持部２は、溝４を備え、その溝４にＵ字型の端部を嵌入し、スライドできる構成にすることで、団扇本体３に、持ち手１を引き出して伸ばして持ち手として使用できるようにし、持ち手１を保持部２に嵌入することで、団扇本体３に持ち手１を収納できることを特徴とする持ち手収納可団扇。
【考案の効果】
【０００６】
団扇の突出した持ち手１をスライドして引き出し且つ嵌入が出来ることにより、使用しない時点ではサイズを縮小し小型なバッグ等にも入れることが出来、又弾力性を有する板状の団扇本体３によって少ない手首の動作で多い風量が得られる。
【図面の簡単な説明】
【０００７】
【図１】本考案の持ち手収納可団扇の構成
【図２】本考案の持ち手収納可団扇の持ち手収納状況
【図３】本考案の保持部の構成
【図４】本考案の持ち手収納可団扇の側面図
【考案を実施するための形態】
【０００８】
図１から図４で本発明の持ち手収納可団扇の構成を説明する。
本発明の持ち手収納可団扇は、弾力性を有する板状の団扇本体３と、持ち手１と、保持部２からなる。団扇本体３は、板状で弾力性を有するプラスチック、紙などでなる板状である。持ち手１は、図１のように、針金などでＵ字型に構成している。Ｕ字型の端部には少し折り曲げて抜けないようにしてもよい。又、持ち手１は板状でもよい。
保持部２は、図１のように団扇本体３の一方の面に、持ち手１を設ける付近にリベット、溶着、ネジなどで取り付ける。保持部２は、図３のように内部に例えばコの字状のような溝４を備え、その溝に持ち手１の端部を嵌入し、スライドできるようにし、Ｕ字型の端部の折り曲げで抜けないようにしている。保持部２のコの字状の溝４の高さは、保持部２の材質により決める。保持部２の溝４の高さをほとんど無くして、略平板状として持ち手１を嵌入できるようにしてもよい。この場合は、Ｕ字型の端部の折り曲げはなくてもよい。このような構成にすることにより、団扇本体３に、持ち手１を引き出して伸ばして持ち手として使用できるようにし、持ち手１を保持部２に嵌入することで、団扇本体３に持ち手１を収納できる。
【産業上の利用可能性】
【０００９】
省エネ、節電、に対し多くの人が手軽に持参し活用が出来、且つ板状の団扇本体３を企業等個々のキャラクタ−の形状にしたりして、広告などの印刷も出来る団扇である。
【符号の説明】
【００１０】
１     持ち手
２     保持部
３     団扇本体
４     保持部の溝
【図１】
0003169897.tif 000003
【図２】
0003169897.tif 000004
【図３】
0003169897.tif 000005
【図４】
0003169897.tif 000006
(57)【要約】      （修正有）【課題】どんな時どんな場所でも対応することができる筆談兼用名札ケースを提供する。【解決手段】基板１と前記基板の一面に添付され、水性ペン７により書き込み及び消去が可能なボード２と前記基板の他面に設けられ、名前カードが収納される第一収納部３と前記基板の他面に設けられ、メモ用紙が収納される第二収納部４とを設ける。さらに、前記基板の他面に設けられ前記水性ペン７が収納される第三収納部５と前記基板の上縁に設け、首掛けひも８が取り付けられる取り付け部６とを備えて筆談兼用名刺ケースとする。【選択図】図３
0003169891.tif 000002
【実用新案登録請求の範囲】
【請求項１】
基板と前記基板の一面に添付され、水性ペンにより書き込み及び消去が可能なボードと前記基板の他面に設けられ、名前カードが収納される第一収納部と前記基板の他面に設けられ、メモ用紙が収納される第二収納部と前記基板の他面に設けられ前記水性ペンが収納される第三収納部と前記基板の上縁に設けられ、首掛けひもが取り付けられる取り付け部とを備える筆談兼用名刺ケース
【考案の詳細な説明】
【技術分野】
【０００１】聴覚障がい者や難聴の高齢者等へ対応するため、身分を証明する名札とともにいつでもどこでもコミュニケーション支援を行うための名札兼筆記用具に関するものである。
【背景の技術】
【０００２】コミュニケーションの方法は、メモ用紙・筆談ノート・携帯ボードは従来からある。
【考案の概要】
【考案が解決しようとする課題】
【０００３】しかしながら、名刺入れやペンは別々に所持していなければならずイベントなどで目的の場所に行きたい場合に道を尋ねる場合等にすぐに通りかかりの人に声をかけて目的の場所を教えてもらう作業に時間がかかっていた。そこで、手話ができないときでも、コミュニケーションを容易にとることができる文房具を開発する必要があった。そこで本考案は、聴覚障害者や難聴の高齢者等が主に外出時に容易にコミュニケーションをとることができる筆談兼用名札ケースを提供することを目的とする。
【課題を解決するための手段】
【０００４】本考案に係る筆談件名札ケースは基板と前記基板の一面に添付され、水性ペンにより書き込み及び消去が可能なボードと前記基板の他面に設けられ、名前カードが収納される第一収納部と前記基板の他面に設けられ、メモ用紙が収納される第二収納部と前記基板の他面に設けられ前記水性ペンが収納される第三収納部と前記基板の上縁に設けられ、首掛けひもが取り付けられる取り付け部とを備える筆談兼用名刺ケース
【考案の効果】
【０００５】聴覚障がい者や難聴の高齢者などの受付時において、手話ができなくても常に携帯する名札を活用して容易にコミュニケーションをとることができる、また、名札は通常付けており、水性ペンにより書き込み及び消去が可能な無色のボードがあるとコミュニケーション効果が上がる
【図面の簡単な説明】
【０００６】
【図１】本考案の表面図
【図２】本考案の裏面図
【図３】本考案の断面図
【考案を実施するための最良の形態】
【０００７】本考案の実施の形態は、図１〜図３に示すように基板１、ボード２、第一の収納部３、第二の収納部４、第三の収納部５が一体に取り付けられている。【０００８】基板１は塩ビ系樹脂製又は布製の材料からなるとともに裏面には水性ペン７により書き込み及び消去が可能なボード２が貼り合わせて形成されている。【０００９】第一収納部３は透視可能な塩ビ系樹脂製の材料からなるとともに、正面から見て横長の長方形をなしたネームカード又は名刺等の挿入が可能な開口部を持ち差込可能となる。【００１０】第二収納部４は透視可能な塩ビ系樹脂製の材料からなるとともに、正面から見て横長の長方形をなしたメモ帳等の挿入が可能な開口部を持ち差込可能となる。【００１１】第三収納部５は塩ビ系樹脂製の材料からなるとともに、水性ペン７をボード２の端部に沿う上下方向縦向きの状態を持って挿入が可能な開口部を持ち装着可能となっている。【００１２】基板１の上部には首掛けひも８またはストラップを取り付けることが可能な取り付け部６が備えられ、首掛けひも８またはストラップを取り付けることにより本考案の筆談兼用名札ケースの脱落防止となる。
【符号の説明】
【０００１３】  １  基板
２  ボード
３  第一収納部
４  第二の収納部
５  第三の収納部
６  取り付け部
７  水性ペン
８  首掛けひも
【図１】
0003169891.tif 000003
【図２】
0003169891.tif 000004
【図３】
0003169891.tif 000005
(57)【要約】      （修正有）【課題】水槽内部にヒーター等を設置することなく、稚貝を飼育できる保温水槽を提供する。【解決手段】貝類の育成用の水槽において、ＦＲＰを素材とした水槽本体１を設け、該本体１の外周部１ａおよび／または、下面に、良伝導素材を介して熱源３を、１または複数個設けたことを特徴とする保温水槽から構成され、水槽本体の周囲には、断熱カバーＸで覆うものであり、この断熱カバーＸは、着脱式に構成され、さらに、良伝導素材は、アルミ、チタンの素材から選ばれたものであり、フィルム状、シート材、あるいは板状であってもよい。【選択図】図２
0003169843.tif 000002
【実用新案登録請求の範囲】
【請求項１】
貝類の育成用の水槽において、ＦＲＰを素材とした水槽本体（１）を設け、該本体（１）の外周部（１ａ）および／または、下面（１ｂ）に、良伝導素材（２）を介して熱源（３）を、１または複数個設けたことを特徴とする保温水槽。
【請求項２】
良伝導素材（２）が、アルミ、チタン材から選ばれたものであることを特徴とする請求項１記載の保温水槽。
【請求項３】
熱源（３）が、電熱ヒーター、パネルヒーターから選ばれたものであることを特徴とする請求項１記載の保温水槽。
【考案の詳細な説明】
【技術分野】
【０００１】
この考案は、保温水槽に関するものである。
【背景技術】
【０００２】
従来、牡蠣等の稚貝を育成するための保温水槽は、これら保温水槽が多数設置された建屋内を、一定の室温に温め、かつ水槽内の水温も一定に保つため、大抵は、水槽内に熱源を設置していた。
【０００３】
そして、この従来方法には、貯留方式と流水方式とがあり、貯留方式の場合の水槽の保温は、チタン製の棒状のヒーターか、プラボードヒーターと呼ばれる面発熱体を、直接、水槽内に投入して内部の海水を温めるものであった。
【０００４】
さらに、循環加温方式と呼ばれ、海水を循環させながら、水槽内の加温装置で加温する方法もあった。例えば、特許文献１のように。
【先行技術文献】
【特許文献】
【０００５】
【特許文献１】登録実用新案第３００８４３８号公報
【０００６】
しかしながら、水槽内部にヒーター等の異物が設置されれば、該異物に貝の幼生が付着してしまい、増殖を妨げる結果となり、やがては死滅してしまうという欠点があった。
【考案の概要】
【考案が解決しようとする課題】
【０００７】
そのため、水槽内部にヒーター等を設置することなく、稚貝を飼育できる保温水槽を開発することにある。
【課題を解決するための手段】
【０００８】
そこで、この考案は、水槽内部には加温手段を用いず、水槽外部より直接ヒーター等の熱源で加温し、水槽内の水温を一定に保つ保温水槽を提供するものである。
【考案の効果】
【０００９】
この考案によると、水槽本体（１）の外周部（１ａ）、下部（１ｂ）から直接、熱源（３）で加温できるよう構成したため、従来のように、水槽本体（１）内に、加温熱源（３）を設置しないため、貝類、例えば，牡蠣の幼生等が付着せず、これらの増殖を妨げることもなく、従って、死滅の恐れもなく、貝類の育成に極めて有益なる効果を奏するものである。
【００１０】
さらに、ＦＲＰ製の水槽本体（１）の外周部の凹凸に対して、ゲル状の樹脂（４）を塗布して外周部を面一にし、該樹脂（４）に良伝導素材（２）貼着し、そして該良伝導素材（２）を介して、熱源（３）を装着するため、該熱源（３）は、効率良く水槽本体（１）内に伝わり、また水槽本体（１）を蓋体（Ｙ）で覆った場合には、更に、前記熱源（３）を、より効率良く水槽本体（１）内に伝わることが可能である等の効果を奏する。
【図面の簡単な説明】
【００１１】
【図１】この考案に使用する水槽本体の一実施例を示す平面図である。
【図２】この考案に使用する水槽本体の一実施例を示す正面図である。
【図３】この考案に使用する水槽本体の一実施例を示す側面図である。
【図４】この考案に使用する水槽本体の一実施例を示す要部拡大一部欠截断面図である。
【考案を実施するための形態】
【００１２】
以下、この考案について詳細に説明する。なお、本考案においては、以下の記述に限定されるものではなく、本考案の要旨を逸脱しない範囲においては適宜変更可能である。
【実施例】
【００１３】
次に、この考案の一実施例を図面に基づいて詳述すると、貝類の育成用の水槽において、ＦＲＰを素材とした水槽本体（１）を設け、該本体（１）の外周部（１ａ）および／または、下面（１ｂ）に、良伝導素材（２）を介して熱源（３）を、１または複数個設けたことを特徴とする保温水槽から構成される。
【００１４】
また、水槽本体（１）の周囲には、断熱カバー（Ｘ）で覆うものであり、この断熱カバー（Ｘ）は、水槽本体（１）と着脱可能に構成してもよい。
【００１５】
さらに、水槽本体（１）の上面には、蓋体（Ｙ）を設けてもよく、その形状は、一枚、あるいは二枚の板状であってもよく、また、ロール状に巻いたものであってもよく、さらに、保温性の高いシート材を用いてもよい。
【００１６】
また、良伝導素材（２）は、アルミ、チタンの素材から選ばれたものであり、フィルム状、シート材、あるいは板状であってもよい。
【００１７】
そして、熱源（３）は、電熱ヒーター、パネルヒーターから選ばれたものである。
【００１８】
尚、この考案の水槽は、建屋内に大量に設置されて使用されるものである。
【産業上の利用可能性】
【００１９】
この考案案よると、保温水槽の技術を確立し、それに基づいて大量に製造・使用・販売することにより、産業上の利用可能性があるものである。
【符号の説明】
【００２０】
１  水槽本体
１ａ  外周部
１ｂ  下面
２  良伝導素材
３  熱源
４  ゲル状の樹脂
Ｘ  断熱カバー
Ｙ  蓋体
【図１】
0003169843.tif 000003
【図２】
0003169843.tif 000004
【図３】
0003169843.tif 000005
【図４】
0003169843.tif 000006
(57)【要約】      （修正有）【課題】種類が多く、また軽い建物にも使用でき、どの免震具をどこに何個設置するかの難しい計算が不要な免震具を提供する。【解決手段】内部にある薄い鉄板の替わりに磁石を用いて互いに吸引させ、また反発させ、磁力を変化させてゴムの免震力を替えることで様々な能力の免震具を製作できる。防震具も小型にして同様にできる。【選択図】図２
0003169872.tif 000002
【実用新案登録請求の範囲】
【請求項１】
永久磁石４と弾性体１とを交互に積層し、前記永久磁石４と前記弾性体１との当接面を接着したことを特徴とする免振具。
【請求項２】
上記隣り合う永久磁石４が互いに反発、若しくは、引合うように前記永久磁石４のN極とS極を上下交互に並べたことを特徴とする請求項１に記載の免震具。
【請求項３】
交互に積層した上記永久磁石４と、上記弾性体１とをリング１０を挿入したことを特徴とする請求項１、若しくは、請求項２に記載の免震具。
【考案の詳細な説明】
【技術分野】
【０００１】
本考案は、地震の揺れから建物を守るための免震具に関する。また機械類など
の揺れを吸収する免震具に関する。
【背景技術】
【０００２】
薄い鉄板と薄い柔軟なゴム板１を上下交互に張り合わせ多層にし、一体化して免震具
にする。これを建物の基礎と土台の間に設置し、地震の時に免震して建物が揺れないようにする。またエンジンその他の機械類の振動を吸収する免震具。
【先行技術文献】
【特許文献】
【０００３】
【特許文献１】特開２００５−１４７１６１積層支持体（ブリジストン）
【考案の概要】
【考案が解決しようとする課題】
【０００４】
現在製品化されている免震具は、種類が少なく、また軽い建物には使用できない場合がある。どの免震具をどこに何個設置するか難しい計算が必要である。
弱い揺れ、強い揺れ、速い揺れ、遅い揺れ、それらをすべて吸収するのは難しい。エンジンなど回転数が変化する機械の振動を吸収するのは難しい、特にエンジンが低い回転数で回っているときに起きやすい共振で、いろんな部分が大きく揺れてひびが入って壊れる。          
【課題を解決するための手段】
【０００５】
かかる目的を達成するために、本考案は円盤型永久磁石（以後磁石と略称）４と弾性体（以後ゴム板と略称）１を交互に積層し、前記磁石４と前記ゴム板１との当接面を接着したことを特徴とする免振具で、隣り合う上記磁石４が互いに反発、若しくは、引合うように前記磁石４のN極とS極を上下交互に並べ、更に、交互に積層した上記磁石４と、上記ゴム板１とをリング１０を挿入の外周に筒体を挿着した免震具である。
磁石４を薄い鉄板の替わりに用い上下隣り合う磁石４が引き合うように磁極をN極とS極を交互に並べる。薄いゴム板１は、揺れを戻す力が減衰振動で揺れが止まる、しかし上下隣会う磁石のN極とS極が引き合って揺れを止める力があるので減衰振動は短時間で収まる。また鉄板と様々な磁力の磁石を組み合わせて同じ形の免震具でも、様々な能力を持った免震具を造ることができる。また図３のように二枚の鉄板の間に何個もの磁石の同極を平らに並べると直径が大きく強力な磁石を作れる。磁石４の磁力や個数を変えることで磁力能力を変えることができるので免震具の能力を変えることができる。弱い磁石にリング１０を付け磁石が強くなるに従って大きくなっていくリング１０を付ける、すると、揺れが小さいときは弱い磁石７が揺れ、その揺れが強くなるに従って弱い磁石７のリング１０が順順にリングを押して強い磁石８を揺らして揺れを吸収する。また振動数が低く大きな横揺れをするときは隣り合う磁石５を同極どうし並べてゴム板１の免防震力を落として低周波振動を吸収する。上記を様々組み合わせて色々な免震具や防震具を必要に応じて製作が可能である。            
【考案の効果】
【０００６】
上記本考案に係る免震具は、内蔵した上下隣あう磁石のN極とS極が引き合うことでゴム板１の防震力を高める。また磁石が引きあうことで減衰振動の時間を大幅に短くできる  鉄板、弱い磁石、強い磁石、これらとリング１０を組み合わせると、弱い揺れから強い揺れまで吸収できる。また上下隣どうしの磁石の極を同じにすると反発するのでゴム板１免新力が弱くなる、それで免震具が使用できない軽い建築物にも免震具が使用できる。またエンジンなどに用いる防震具に磁石を内蔵すると低周波域で起きる共振を防げるので部品の破壊が防げる。請求項３の鉄板に必要な数の磁石を接着して上から鉄板を載せると薄くて広い磁石を作ることができる。基礎が傾き、もしくは沈下しても、免新具と基礎の間に敷物を敷いて修正するこができるので建物を建て替える必要がない。
【図面の簡単な説明】
【０００７】
【図１】本考案に係わる磁石４とゴム板１を積層した免震具の斜視図である。
【図２】本考案に係わるリング１０付き磁石４とゴム板１を積層した免震具の断面図である。
【図３】本考案に係わる必要な数個の磁石を鉄板に並べて磁力を高めた磁石である。
【考案を実施するための形態】
【０００８】
以下、本考案の実施形態を、添付図面を参照にして詳細に説明する。
【実施例】
【０００９】
本考案に係る図１に図示の免震具は、厚い鉄板でできた下板３の中央にゴム板１を接着し、その上に磁石４を接着する、またその上にゴム板１を接着し、またその上に磁石４を接着する、これを何度か繰り返す。最上部の厚い鉄板できた上板２の中央にゴム板１を接着する。                                                      
【００１０】
本考案に係る図２に図示のリング付き磁石免震具は、厚い鉄板でできた下板３の中央にゴム板１を接着し、その上に磁石４を接着する、その上にゴム板１を接着し、先の磁石５と反発するように同じ極を向き合わせてゴム板１に接着する、この磁石５の上に次のゴム板１を接着する、このゴム板１に鉄板６を接着する、このゴム板１に磁石５を接着する、この磁石５にゴム板１を接着する、リング１０を付けた磁石４を反対極にして吸引させる、同様にして次々に磁石４とゴム板１を接着してゆく。所々に必要に応じてリング１０を付ける、最上部に厚い上板２を接着する。地震用免震具の場合は、下板３を建物の基礎、上板２を土台に固定する。また機械用防震具の場合は下板３を基礎など、上板２をエンジンなど振動部に固定する。
【産業上の利用可能性】
【００１１】
本考案に係る免震具、防震具は、色々な種類を用意しているので用途に応じて用いることができる。様々な種類の免震具は、様々な建物に対応でき、地震の揺れを吸収する。また、防震具は、様々なエンジンや機械の揺れを吸収できる。
【符号の説明】
【００１２】
１  ゴム板
２  上板
３  下板
４  磁石
５  S極を上にN極を下にした磁石
６  薄い鉄板
７  S極を下にN極を上にした磁石
８  ７より強力な磁石
９  ８より強力な磁石
１０  ストッパー
【図１】
0003169872.tif 000003
【図２】
0003169872.tif 000004
【図３】
0003169872.tif 000005
(57)【要約】【課題】平坦の場所や屋根上で屋根先を傷めずに腕作業が軽減できるスノーダンプを提供する。【解決手段】このスノーダンプは握り枠(1)を固定する力と同時に、踏込み枠(2)を足で踏み込むことにより(3)の回転軸を中心に(4)引き上げアームが引かれの雪掬い部(5)が回転し垂直に立ち雪が落下するのである。雪掬い部(5)から雪落とすには腕を上げる作業になるがこのスノーダンプはそれに代わり足踏み作業とすることで大幅に腕及び上半身が軽減できる。また回転部(3)を前方にしたことにより平地でも使用でき屋根の先端がも傷まなくすることができる。【選択図】図１
0003169880.tif 000002
【実用新案登録請求の範囲】
【請求項１】
このスノーダンプは踏込み枠を足で踏むことで雪掬い部が起き上り回転軸が先端部あるため平坦でも使用できる。
【考案の詳細な説明】
【技術分野】
【０００１】
本考案はスノーダンプの積まれた雪を楽に落とすものである。
【背景技術】
【０００２】
スノーダンプにおいて特願平０８−００９３７０が広報で公知されている。
【先行技術文献】
【特許文献】
【０００３】
【特許文献１】特願平０８−００９３７０
【考案の概要】
【考案が解決しようとする課題】
【０００４】
しかしながら、屋根の様に段差がある場合は自然落下するが平坦では落とすのが面倒である。
【課題を解決するための手段】
【０００５】
そこで本考案は平坦の場所でも楽に雪を落とすことを目的とした。
【考案の効果】
【０００６】
ダンプするスノーダンプよれば、平坦の場所でも回転部が先端にあるため可能になり、足踏みすることで角度が大きくかわるので楽に落とすことができる。
【図面の簡単な説明】
【０００７】
【図１】図１の握り枠(1)を固定する力と同時に、踏込み枠(2)を踏み込むと(3)の回転軸を中心に(4)引き上げアームが引かれ(5)の雪掬い部が回転し垂直に立つ。点線は踏み込んだ時の状態である。
【図２】図2はの雪掬い部(5)が回転し垂直に立ち倒れ過ぎ防止用ワイヤー(8)を取り付けたところである。
【図３】図3は部材握り枠(1)と回転軸(７)を示し、他雪掬い部(5)とその回転軸(3).(6)を示す。
【符号の説明】
【０００８】
１.  握り枠
2.  踏込み枠
3.  回転軸1
4.  引上げアーム
5.  雪掬い部
6.  回転軸2
7.  回転軸3
8.  ストパーワイヤー
【図１】
0003169880.tif 000003
【図２】
0003169880.tif 000004
【図３】
0003169880.tif 000005
【手続補正書】
【提出日】平成23年6月14日(2011.6.14)
【手続補正１】
【補正対象書類名】実用新案登録請求の範囲
【補正対象項目名】全文
【補正方法】変更
【補正の内容】
【実用新案登録請求の範囲】
【請求項１】
このダンプするスノーダンプは雪掬い部と握り枠が直接固定されておらずに雪掬い部と握り枠の間に回転軸を設け雪掬い部の上部に引上げアームと雪掬い部先端に踏込み枠の各々が回転軸で連結されている又引上げアームと踏込み枠の連結に握り枠が行っている構造になっているこのため握り枠持ち上げることなく踏込み枠を踏み込むことで雪掬い部が回転することを特徴としたダンプするスノーダンプである。
(57)【要約】      （修正有）【課題】背中にかかる圧力を全体に分散させる事ができるクッションを提供する。【解決手段】クッションカバー１には、縦長の袋状部２〜６が設けられ、それぞれの袋状部は縫製により仕切られている。袋状部２〜６にステックバルーンを挿入する。さらに、ステックバルーンへの空気の注入量を使用者の背中の形状に合わせる様に調節し袋状部２〜６にそれぞれ挿入する。例えば、袋状部２と６に挿入するステックバルーンの空気圧を相対的に１０、袋状部３と５に挿入するステックバルーンの空気圧を８、袋状部４に挿入するステックバルーンの空気圧を６とすると、標準的な人の場合背中の形状に沿い、正しい姿勢を保持する。【選択図】図１
0003169838.tif 000002
【実用新案登録請求の範囲】
【請求項１】
通気性を有する生地よりなり、縦長の筒状部を複数個形成されたクッションカバーを設け、上記筒状部にステックバルーンを挿入し形成した背凭れクッション。
【請求項２】
ステックバルーンの空気圧を、両端部は最大、中央部を最小、両端部と中央部の間である中間部が中間の位になる様に設定した請求項1記載の背凭れクッション。
【考案の詳細な説明】
【技術分野】
【０００１】
本考案は、車椅子食卓椅子座椅子等の背凭れに使用し、使用者の背中を保持する事によって、褥瘡背痛の防止又は、軽減を図る背凭れクッションに関するものである。
【背景技術】
【０００２】
身体の障害や脊椎が変形されている方が長時間車椅子や椅子等に座っている場合、背凭れと背中との接点が一点に集中し褥瘡や疼痛の原因となりうる。
【０００３】
従来より背中と背凭れとの間に、ビーズクッションや座布団、エアークッションが使用されている。
【考案の概要】
【考案が解決しようとする課題】
【０００４】
ビーズクッションは、形が一定でないため、下部にビーズが集まってしまい使用者の背中の形状に適合し難く、又座布団は凭れかかった際、圧力が一点に集中してしまい疼痛の原因ともなりうる。エアークッションもあるが厚みが無く、空気圧が一定で背中にかかる圧力が少ししか分散されず、褥瘡背痛が軽減されにくい。
【０００５】
この様に、従来のクッションは使用者の腰、背中の形状、使用用途に応じて作られた物ではない。
本考案は、背中にかかる圧力を全体に分散させる事が出来るクッションを提供する事を目的とする。
【課題を解決するための手段】
【０００６】
本考案は、上記課題を解決するものであって、通気性、伸縮性を有する生地で縦方向袋状に既存のステックバルーンの収納室を設ける様縫製し、この収納室にステックバルーンを挿入した事を特徴とする背凭れクッションである。
【考案の効果】
【０００７】
本考案は、それぞれのステックバルーンの内部空気圧の調節により膨張、収縮が自在である為、使用者の腰、背中の形状に適合する様、好みの硬さに膨らませる事が出来る。
【０００８】
ステックバルーンが縦方向で複数個に分かれている事により、背中を両脇から包み込む様密着し支え、体圧を分散させるのに有効である。
【０００９】
又、縦方向に溝が形成されている為通気性が良く、長時間凭れていても蒸れを発生する事無く快適に使用する事が出来る。
【００１０】
ステックバルーンの空気を簡単に抜く事が出来る為、使用しない場合には本体を小さく折り畳む事が出来、保管や携帯を容易に行う事が出来る。
【００１１】
又、既存のステックバルーンを使用すると共に、クッションカバーを縫製等の手段で製造する事が出来るので、設備も簡素化出来る為、製造コストを低減、背凭れクッションを安価に提供する事が出来る。
【図面の簡単な説明】
【００１２】
【図１】クッションの蓋を開けた状態
【図２】既存のステックバルーン
【図３】使用時の状態の背凭れクッション
【考案を実施するための形態】
【実施例】
【００１３】
本考案の実施例1に係る背凭れクッションを図1を用いて説明すると、1はクッションカバーで、縦長の袋状部2、3、4、5、6が設けられ、それぞれの袋状部は縫製により仕切られている。7は蓋部であって蓋部7には3ケ所にマジックテープ8、10、12（商標登録です。以下同様）が取り付けられ、一方袋状部2、4、6の表面にもマジックテープ9、11、13が取り付けられている。蓋部を閉じた時、マジックテープ8と9、10と11、12と13がそれぞれ結合して蓋部7が閉じられる様になっている。
【００１４】
図2において、14は袋状部2、3、4、5、6に挿入するためのステックバルーンである。
【００１５】
ステックバルーン14への空気の注入量を使用者の背中の形状に合わせる様に調節し袋状部2〜6にそれぞれ挿入する。
【００１６】
図3は、袋状部2〜6にステックバルーン14をそれぞれ挿入した後、蓋部を閉じた状態を示すものである。
（使用例）
【００１７】
例えば、袋状部2と6に挿入するステックバルーンの空気圧を相対的に10、袋状部3と5に挿入するステックバルーンの空気圧を8、袋状部4に挿入するステックバルーンの空気圧を6とすると、標準的な人の場合背中の形状に沿い、正しい姿勢を保持する。
【符号の説明】
【００１８】
1                    背凭れクッションカバー
2、3、4、5、6        ステックバルーン差し込み部
7                    蓋
8、9、10、11、12、13  マジックテープ
14                    ステックバルーン
【図１】
0003169838.tif 000003
【図２】
0003169838.tif 000004
【図３】
0003169838.tif 000005
(57)【要約】      （修正有）【課題】ご飯を掬うことと、米を研ぐことができるしゃもじを提供する。【解決手段】へら部１は従来のままとし、握り柄２部に貫通孔３を設けることにより米研ぎができ、ご飯も掬うことができるしゃもじとする。米を研ぐときは、へら部を握って、握り柄でかきまわす。貫通孔３は、米を研ぐときの水抵抗を低減する役割をはたし、かつその大きさは、米粒より小さくして米粒が流れ落ちない大きさとする。【選択図】図１
0003169888.tif 000002
【実用新案登録請求の範囲】
【請求項１】
しゃもじの柄部に米研ぎ機能を設けることにより、ひとつの道具で米研ぎとご飯を掬う２通りの使い道ができる米研ぎしゃもじ。
【考案の詳細な説明】
【技術分野】
【０００１】
本考案は、従来のしゃもじの握り柄に米研ぎ機能を設け、ひとつの道具で二通りの使い方を提案するものである。
【背景技術】
【０００２】
米研ぎ棒は不使用時には狭い台所では置き場に困るものであった。
【先行技術文献】
【特許文献】
【０００３】
【特許文献１】特開２００１−３４０２４１
【考案の概要】
【考案が解決しようとする課題】
【０００４】
ひとり暮らし等の少量の米研ぎには従来の米研ぎ具は大きいかったり、また狭い台所では置き場にも不便であった。本考案に近い文献に、特許文献１（特開２００１−３４０２４１）があるが、従来のへら部の発明、例えば米粒が付きにくいしゃもじなどの優れた機能を残してなく、貫通孔の形状に制限があるという欠点がある。本考案は従来発明されたしゃもじ機能を残し、さらに米研ぎ機能を付け加えることで、台所作業を便利にすることを目的とする。
【課題を解決するための手段】
【０００５】
しゃもじのへら部はあえていじらずに、握り柄部のみに米研ぎ機能をつけることにより、貫通孔の形状を自由にでき、米研ぎ機能を強化させることができる。さらに米粒より小さい貫通孔にすれば、米の研ぎ汁を流す時、手にかかることなく米粒が一緒に流れ落ちないように押さえることもできる。
【考案の効果】
【０００６】
本考案は、手で米を研がずに済むので手荒れ防止になり、またネイルで長い付け爪にチップを付けてる人にとっては爪を傷めずに済む。
【０００７】
本来別々の物であるしゃもじと米研ぎ具をひとつの物にすることで収納場所をとらない。
【図面の簡単な説明】
【０００８】
【図１】本考案のしゃもじの正面図である。
【図２】本考案のしゃもじの側面図である。
【図３】本考案の一実施例の斜視図である。
【図４】本考案の一実施例の斜視図である。
【考案を実施するための形態】
【０００９】
本考案のしゃもじは、一般に使用されているしゃもじの柄部分に米研ぎ機能を設けている。
【００１０】
ご飯を掬う際の握り柄は米研ぎ機能を持たせてるため、ある程度の握り易さを考慮した形態、素材にする。
【００１１】
米を研ぐ際は、へら部を握ることになるが使いにくいことはなく十分に米を研ぐための握り柄の役割を補う。
【実施例】
【００１２】
釜又はボールなどの容器に米と水を入れ、図３のようにへら部を握って、握り柄でかき回すので、握り柄には貫通孔を設け、水抵抗を減らし米を研ぎ易くする。
【００１３】
米の研ぎ汁を図４のように捨てる為、貫通孔の大きさは米粒より小さくして米粒が流れ落ちないようにする。
【符号の説明】
【００１４】
１  へら部
２  握り柄
３  貫通孔
４  釜
【図１】
0003169888.tif 000003
【図２】
0003169888.tif 000004
【図３】
0003169888.tif 000005
【図４】
0003169888.tif 000006
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
しゃもじの柄部に貫通孔を複数開け、貫通孔の大きさを米粒より小さくしたことを特徴とするしゃもじ。
(57)【要約】      （修正有）【課題】ズボンの外観を損なわず、且つ、個人管理を容易にすることができる識別情報を記した補助布の取り付け、情報表示をおこなうズボンを提供する。【解決手段】ハンガーに掛けたズボンの胴回り側より、自然と垂れ下がりはみ出る補助布１を目視できる位置に、個人識別情報２が記載されている識別情報記載補助布１をズボン内部取り付け、その確認を容易にする。【選択図】図３
0003169789.tif 000002
【実用新案登録請求の範囲】
【請求項１】
識別情報の記載された補助布が装着されたズボンからなり、個人識別情報を記載した補助布をズボン胴回り内側に補助布の情報記載部の反対側を縫いつけたもので、ズボンの裾側を上にした時、重力で垂れた補助布の識別情報記載部がズボンの胴回りより更に下方に出るように構成したことを特徴とするズボン。
【考案の詳細な説明】
【技術分野】
【０００１】  本考案は、ズボン等の情報ラベル内部取り付け、情報表示の取り付け措置に関する。
【背景技術】
【０００２】  従来の産業クリーニングにおけるズボン管理法は受付時に紙の識別タグを付ける、もしくはネームシールをズボンに貼り付ける、又はバーコード・ＩＣチップの貼り付け、等の手段により管理されている。
【先行技術文献】
【特許文献】
【特許文献１】特開２０１０−１３４１６１  熱溶着式クリーニング用タグ
【特許文献２】特開２００６−３１８３２０  ボタンホール形ＩＣタグ取付具
【特許文献３】登録実用新案第３０２０９８１号  クリーニング用タグ基材
【考案の概要】
【考案が解決しようとする課題】
【０００３】  産業クリーニングにおいて、そのズボンが誰のものか？という管理が必要となる、しかしながらその都度のタグ取り付けではクリーニング工程において受付作業、仕分け作業にかなりの手間を要するし、ネームシールの貼り付けではズボンの見栄えが悪くなり、隠れた所に貼れば確認しづらくなる、バーコード・ＩＣチップの貼り付けも同様で、しかも多大な設備投資を要する、等の難点があった。【０００４】  本考案は、以上のような従来の欠点に鑑み、ズボンの外観を損なわずに目視による個人管理を容易にし、最小限の費用と手間で情報等を記載した補助布が、外部より明確に確認識別できる装着手段を特徴とする商品情報取り付け措置。
【課題を解決するための手段】
【０００５】  上記目的を達成するために本考案は幅にして１０ｃｍ強、長さ１５ｃｍ強の識別情報を記した補助布１をズボン胴回りの内側、ベルト通し部裏側のやや下方に縫いつける。【０００６】  クリーニング後の仕上げたズボンをハンガーに掛けると、識別情報部２を記した補助布１が自然に垂れ下がるので、目視により容易に個人、商品管理が可能となる。
【考案の効果】
【０００７】  以上の説明から明らかなように、本考案にあっては次に列挙する効果が得られる。
（１）ハンガーに掛けたズボン胴回り内側より、識別情報を記した補助布１が自然と垂れ下がるので、今までの方法では困難であったズボンの個人識別が、手を触れることなく容易に個人管理することが出来る。【０００８】（２）前記（１）によって、ズボンを履いた時に補助布１は内側にくるので、外観を損なわずに情報識別措置の取り付けが出来る。
【図面の簡単な説明】
【０００９】
【図１】  本考案を実施するための補助布を貼り付けたズボンの斜視図である。
【図２】  同上補助布を引き上げた状態のズボン背面図である。
【図３】  同上ズボンをハンガーに掛けた正面図である。
【考案を実施するための形態】
【００１０】以下、本考案の実施の形態に基づいて説明する。
【実施例１】
【００１１】  図１はズボン胴回り内側のベルト通し部やや下方に、補助布１を縫い付部３の辺りで縫い付ける（或いは溶熱性接着剤など、素材に応じ補助布１とズボンの接続は問わない）、その際補助布１の表側、縫い付部３の反対側に識別情報記載部２がある。
【実施例２】
【００１２】  図３はズボンをハンガーに掛けた正面図、ハンガーに掛けたズボンの胴回り側が下を向くとズボンの上端部分（胴回り側）を超えて補助布１が自然に垂れ、ズボンの上端部分（胴回り側）を超えて識別情報記載部２が垂れ下がるので、ハンガーを掛けたままの状態で手を使わずとも識別情報を目視することができる。
【産業上の利用可能性】
【００１３】  本考案はズボンを製造する産業、クリーニング業で利用される。
【符号の説明】
【００１４】  １  補助布
２  識別情報記載部
３  縫い付部
【図１】
0003169789.tif 000003
【図２】
0003169789.tif 000004
【図３】
0003169789.tif 000005
(57)【要約】      （修正有）【課題】天地不問の正方柱形のクッションを活用し、１２の辺のすべてにセパレートのファスナーの片方を施し、複数のクッションを繋ぎ合わせることで、多様な形状の座具を可能にするユニット座具を提供する。【解決手段】正方柱を製作するにあたり、クッションのウレタン１−１の軽量化と座り心地を保つ創意を施し、布製カバー１−２は、耐久性、撥水性、肌触り等の素材を使用し、セパレートのファスナー１−３は、耐久性に優れ、簡単に取り付け、取り外しを可能としたことにより、キューブ型ユニットができ、多様な形状の座具が可能になった。カバーの清潔さを保つために、ウレタンの取り出し口１−４を設けた。【選択図】図１
0003169790.tif 000002
【実用新案登録請求の範囲】
【請求項１】
１２の辺すべてにセパレートのファスナーの片方を施した、天地不問の正方柱形の軽量化したクッションを活用し、ファスナーは半数にスライダーが付いており、複数のクッションを繋ぎ合わせることができることを特徴とする、キューブ型ユニット座具。
【考案の詳細な説明】
【技術分野】
【０００１】本案は、１２の辺のすべてにセパレートのファスナーの片方を施し、天地不問の正方柱形のクッションを活用した、座具に関するものである。
【背景技術】
【０００２】正方柱形の軽量化ウレタン性クッションにセパレートのファスナーを施し、キューブ型ユニットにすることにより、簡単に多様な形状を可能にした座具である。従って、ユーザーのニーズの範囲が多様になる。
【考案の概要】
【考案が解決しようとする課題】
【０００３】従来の座具では、レイアウト等の変更にもスペースの問題が生じることが多い。
さらに、移動のときの労働的負担もある。本案は簡単に分解が可能で、１ユニットが軽量である。従って多様な組立が可能なためスペース、移動の問題も解決しようとするものである。
【課題を解決するための手段】
【０００４】本考案は、１２の辺すべてにセパレートのファスナーの片方を施した、天地不問の正方柱形の軽量化したクッションを活用する。ファスナーは半数にスライダーが付いており、複数のクッションを繋ぎ合わせることができ、クッションの組み合わせによって、多様な座具を構成することを可能にした。
【考案の効果】
【０００５】上述の様に、本考案の多様な形状を可能にするキュービ型ユニット座具は、座具の形状や使用目的にも制限はなく、ユーザーの自由な発想に委ねられ、ベッドや遊具等にも対応が可能である。さらに、ポケットの付いたパーツや小型のクッション等を繋ぐことにより、利便性が向上する。
【図面の簡単な説明】
【０００６】
【図１】本案の多様な形状を可能にする座具の正方柱形図である。
【図２】本案座具のユニットの組合わせによってできる形状例の展開図である。
【考案を実施するための形態】
【０００７】正方柱形を製作するにあたり、サイズも人間工学的に考慮し、軽量化及びソフトな座り心地を保つため、中心部分に高反発、表面部分に低反発等の創意工夫こらしたウレタンを施した。布製のカバーに関しては、耐久性、撥水性、肌触り等を考慮した素材を使用している。また、セパレートのファスナーは耐久性に優れ、簡単に取り付け、取り外しが可能で、クッションをふちどる飾りとしての装飾的機能をもっている。
【実施例】
【０００８】添付図面に従って実例を説明する。図１−１は、高反発、中反発、低反発を使用し、一体化形成されたウレタン。図１−２は、布製カバーで簡単に取り外して洗濯機で洗える素材なので、いつも清潔に使用することができる。図１−３は、セパレートのファスナーで、自在に取り付け、取り外しができる。図１−４は、ウレタンの取り外しができる取り出し口である。図１−５、図１−６、図１−７、図１−８は、オプションパーツであり、ユーザーの使い方で利便性の向上につながる。【０００９】図２は、ユニットの組合わせによって、多様な形状の座具を構成することができる例である。座具の形状や使用目的にも制限はなく、ユーザーの自由な発想でもっと多くの形状を構成することが可能である。
【符号の説明】
【００１０】１  ウレタン
２  布製カバー
３  ファスナー
４  取り出し口
５  オプションパーツ座面カバー
６  オプションパーツポケット
７  オプションパーツティッシュカバー
８  オプションパーツしずく型クッション
【図１】
0003169790.tif 000003
【図２】
0003169790.tif 000004
(57)【要約】      （修正有）【課題】縫い糸の糸尻に玉結びを形成することができる玉結び形成用具を提供する。【解決手段】縫製人の指先に嵌めて使用するボビン１０端縁には、第１間隙１３と、第２間隙１４と、針抜き溝１５とを形成している。前記二本の間隙１３，１４に糸尻２１を蛇行状に編み込み、この糸をそのままボビン１０の周りに巻きつけてループを形成し、このループを形成する糸先の縫製針を、針抜き溝１５に沿って上側に引き抜いて前記ループと糸先を交差させ、さらにボビン１０から分離した糸の絡みを引き締めることで、糸尻に玉結びを形成できる。【選択図】図１
0003169784.tif 000002
【実用新案登録請求の範囲】
【請求項１】
指先に嵌めて使用するボビンからなり、前記ボビンにおける前記指先が指す方向の端縁に、該ボビンの軸線方向に沿う二本の間隙と、少なくとも単数の針抜き溝とを形成し、前記二本の間隙である第１間隙と、第２間隙との間隔を、これら両間隙Ｕ字形に編み込む縫い糸が自然に抜け落ちない摩擦抵抗を加えるに足りる数値する一方、前記の針抜き溝を、縫い糸を支える縫い針がボビンに巻きつけられる縫い糸の下域を容易に通過し得る深さに形成した縫い糸の玉結び形成用具。
【請求項２】
ボビンは、該ボビンにおける第１間隙と、第２間隙と、針抜き溝とを備える端縁部分を、指先に嵌めて使用する側の内径に比べて小径に形成した請求項１に記載した縫い糸の玉結び形成用具。
【考案の詳細な説明】
【技術分野】
【０００１】  本考案は、縫製材などのようなシート類に、縫い糸をしっかりと掛け止めるために、前記糸の糸尻に玉結びを形成するための用具に関する。
【背景技術】
【０００２】  一般家庭での必須な生活条件の一つとして裁縫に係わる時間比率が非常に大きかった前世代では、縫製に係わった家庭人の殆どが指先で縫い糸の糸尻を捩って、その糸尻に難なく玉結びを形成する技術を備えていたが、家庭内での裁縫にかける時間が短縮した近年では、裁縫技術の低下と同時に、縫い糸に玉結びの形成に非能率な人や、また全く形成できない人の比率が増えて、縫製企業に携わる従業員の作業能率にも影響が生じている現状である。そこで、この考案は、糸尻に玉結びを能率よく形成できる用具を提供することを目的とするものである。【０００３】
【特許文献１】特開２００９−２３９６７９号公報
【考案の開示】
【０００４】  本考案は前記目的のために、指先に嵌めて使用するボビンからなり、前記ボビンにおける前記指先が指す方向の端縁に、該ボビンの軸線方向に沿う二本の間隙と、少なくとも単数の針抜き溝とを形成しており、前記二本の間隙である第１間隙と、第２間隙との間隔を、これら両間隙にＵ字形に編み込む縫い糸が自然に抜け落ちない摩擦抵抗を加えるに足りる数値とし、一方前記の針抜き溝は、縫い糸を支える縫い針がボビンに巻きつけられる縫い糸の下域を容易に通過し得る深さに形成して構成している。
【０００５】  ボビンは一般に不得手側の五指の、いずれかの指先に被せて使用する。そして利き腕の指先で、前記ボビン先端縁の二本の間隙に糸尻を蛇行状に編み込み、この糸をそのままボビンの周りに巻きつけてループを形成する。この場合、糸を蛇行させる前記の二本の間隙間隔値が大きいほど、ボビンに糸を掛け止める摩擦抵抗力が落ちて、糸尻が滑りぬける恐れがあるので、ボビンに巻き付ける糸の滑りを阻止し得るように二本の間隙の間隔値が決められている。一方、ループを形成した糸の先には予め縫い針が取り付いており、この針を、針抜き溝に沿いかつ前記の二本の間隙とほぼ平行にループの上下いずれかの方向に引くことにより、この瞬間、ボビンの周りで前記ループに対して糸先が交差する。そして、前記糸をさらに引き抜く作業に継続して、ボビンの先端から分離させた糸の絡みを引き締めることによって糸尻に玉結びを形成することができるのである。
【図面の簡単な説明】
【０００６】
【図１】本考案用具の斜め上方からの斜視図
【図２】前図の用具の全体図
【図３】縫い糸に玉結びを形成する過程の説明図
【図４】縫い糸に形成する玉結び過程の説明図
【図５】本考案用具の他の実施例説明図
【図６】本考案用具の使用説明図
【実施例１】
【０００７】  図１に示す金属製のパイプによって形成したボビン１０は、図６に示すように縫製人の五指のいづれかの指先１１に被せて使用するものであり、そのボビン１０の内径の数値は、指１１の先端からボビン１０が１ｃｍに満たない値だけ突き出るように設定している。【０００８】  図６に示す指１１の先が指す方向の端、つまり図１におけるボビン１０の上端１２には、ボビンの軸線方向に沿う二本の間隙１３、１４と、少なくとも単数の針抜き溝１５とを形成している。【０００９】  ボビン１０を形成する金属管の肉厚を０．５ｍｍ前後のもので構成して軽量化を図る。糸の太さ数値が少数点以下の一般的な縫製糸の場合は、二本の間隙１３、１４の溝幅をそれぞれ１ｍｍ以下にし、またそれら両間隙の間隔値を５ｍｍ前後に設定する。糸２０の端２１を親指のつま先で押さえながら糸を二本の間隙１３、１４に編み込んで蛇行させ、その後、糸２０をボビン１０の周りに巻きつけてループを形成する。【００１０】  図３は、ボビンの周りで形成した糸のループ３０の状態を示している。糸先２１とループ３０部分とが単にＸ交差するだけで糸結び部分は形成できないので、縫い針２２に取り付けた糸先２３を、糸尻２１の存在域以降でループ３０部分とＸ交差させる必要がある。かかる観念に基づき、図１における針抜き溝１５にそって前記針２２を差し入れて引き抜くと、ボビンの周りでは図４に示すような糸結び２４が形成されるので、この部分をさらに引き締めて玉結びを形成できるのである。
【実施例２】
【００１１】  図１における針抜き溝１５は、図面上、第１間隙１３の右手に形成しているので、図のように糸２０を右回りにした場合、ループは針ぬき溝１５の部分では未完成である。この様な場合、糸２０を二重巻きにするか、そうでなければ糸２０を左巻きにする必要がある。針抜き溝１５の形成位置は固定されるものではなく、第２間隙１４の左手或いは第１、第２両間隙の間に存在する壁辺１６に形成することができる。
【実施例３】
【００１２】  図２に示すボビン１０は、その下側のスカート部１７に複数の切れ目１８を施して、指の太さの差異に応じて拡張自在にできる。
【実施例４】
【００１３】  図５に示すボビン１０は、下側のスカート部１７に比して上部１９の径を細く構成し、その上部に第１、第２両間隙１３，１４と、針抜き溝１５とを形勢したもので、このように上部１９の径を細くすることにより、図４における糸結び２４を、より糸尻２１の近くに形成することができる。また釣鐘形のスカート部１７は、それに差し入れる先細の指との密着度が高い形状であるから、例えばセラミックなどの型整形でもっと量産を可能にしている。
【符号の説明】
【００１４】１０‥‥ボビン
１３‥‥第１間隙
１４‥‥第２間隙
１５‥‥針抜き溝
１９‥‥端縁部分
２０‥‥糸
２１‥‥糸尻
【図１】
0003169784.tif 000003
【図２】
0003169784.tif 000004
【図３】
0003169784.tif 000005
【図４】
0003169784.tif 000006
【図５】
0003169784.tif 000007
【図６】
0003169784.tif 000008
(57)【要約】      （修正有）【課題】玉掛け、荷役時に使用するワイヤーと吊り荷又は固定物との連結時に使用するシャックル本体に付随するシャックルピンの作業時脱落防止のためのピン脱落防止機能付きシャックルピンを提供する。【解決手段】シャックル本体と分離するピンのネジ後部に浅い溝を設け、その部分にゴム製のＯリングを装着し、シャックル本体部分の片側の保持部分からの脱落を防止する。【選択図】図２
0003169788.tif 000002
【実用新案登録請求の範囲】
【請求項１】
シャックル本体と分離するピンのネジ後部に浅い溝を設け、その部分にゴム製のＯリングを装着し、シャックル本体部分の片側の保持部分からの脱落を防止。以上を特徴とするピン脱落防止機能付きシャックルピン。
【考案の詳細な説明】
【技術分野】
【０００１】  本考案は、玉掛け、荷役時に使用するワイヤーと吊り荷又は固定物との連結時に使用するシャックル本体に付随するシャックルピンの作業時脱落防止に関するものである。
【技術背景】
【０００２】  従来、ワイヤーを使用しての玉掛け時にシャックルを使用する場合、シャックル本体とピンの部分を取外し又は緩めた状態で、ワイヤー及び吊り荷と連結作業を行う、その時ピンが脱落等する場合がある。
【考案の開示】
【考案が解決しようとする課題】
【０００３】  そのために次のような問題点があった。
（イ）シャックルを使用しての作業時にピンを落とす等、紛失、怪我の原因になっていた
（ロ）シャックルを使用しての作業時ピンと本体が分離するため作業効率に問題があった。
本考案は、以上の問題点を解決するためになされたものである。
【課題を解決するための手段】
【０００４】  シャックル本体と分離するピンのネジ後部に浅い溝を設け、その部分にゴム製のＯリングを装着し、シャックル本体部分の片側の保持部分からの脱落を防止。以上を特徴とするピン脱落防止機能付きシャックルピンである。
【考案の効果】
【０００５】  本考案は、シャックル本体ピン部分のネジ部後方に設けたゴム製Ｏリングにより、シャックル本体とピン部分が脱落しないため、高所作業時に落下等の心配が軽減され、また、自身の頭上より上の作業時でも落下防止の安全性が期待できる、また、ピンが完全分離しない状態での作業は効率向上も期待できる、使用時ピンとシャックルを分離して設置する必要が生じた時でも、Ｏリングは脱着可能なので問題はない、また、簡単な構造で低コストでの安全性の確保が期待できる。
【考案を実施するための最良の形態】
【０００６】  以上、本考案の実施の形態を説明する。
シャックルピン（２）のネジ部（４）後方に溝部分（５）を設け、その溝部分にゴムＯリング（３）を設置する。
本案は、以上のような構造でこれを使用するときは、シャックルピン（２）のネジ部（４）を回しシャックル（１）本体から片側だけ外した状態にし、溝部分にＯリングを装着しこれによりシャックル（１）本体からの脱落を防止、以後通常のシャックル使用状態となるまた、ピン取外しの必要が生じた場合は一旦シャックルピン（２）の溝部分（５）からゴムＯリング（３）を取外し連結後また、シャックルピン（２）にゴムＯリング（３）を再び溝部分（５）に装着、通常シャクル使用状態にもどる。【０００７】    図１は、シャックル本体との連結通常使用時の平面図であり、図２は、シャックルピン（２）部分の構造平面図である、ゴムＯリング（３）がシャックル（１）に引っかかり脱落防止できる。
【図面の簡単な説明】
【０００８】
【図１】本考案の使用時全体図
【図２】本考案の部分図
【符号の説明】
【０００９】１    シャックル
２    シャックルピン
３    ゴムＯリング
４    ネジ部
５    溝部分
【図１】
0003169788.tif 000003
【図２】
0003169788.tif 000004